【手続補正書】
【提出日】平成29年10月26日(2017.10.26)
【手続補正１】
【補正対象書類名】特許請求の範囲
【補正対象項目名】全文
【補正方法】変更
【補正の内容】
【特許請求の範囲】
【請求項１】
α−β不飽和オレフィンモノマーの重合から誘導されたオレフィン主鎖を含むポリマー分散剤であって、
（ｉ）主鎖反復単位の少なくとも８０重量％が、（メタ）アクリル酸、ＣＨ＝Ｃ（Ｇ）−Ｃ（＝Ｏ）−Ｚ−、
【化２９】
2016535139.tif 000001
または
【化３０】
2016535139.tif 000002
（これらの式中のＧはＨまたはＣＨ３であり、Ｚは窒素または酸素結合原子である）
によって表されるα−βオレフィン部分を有する重合性モノマーから誘導され；
ｉｉ）該主鎖を形成するために使用される該モノマーの少なくとも１つが、重合前または重合に続いて少なくとも１つのイミド基で官能基化され、該イミドのカルボニル基は縮合芳香族環の炭素原子に直接化学的に結合されており；
ｉｉｉ）該分散剤が、１０００〜１００，０００ｇ／モルの数平均分子量を有し；そして
ｉｖ）該分散剤が、該イミド基が化学的に結合されているアンカーブロックであることを特徴とする少なくとも１つのポリマー主鎖ブロックを有し、該ポリマー主鎖には溶媒可溶化ポリマーセグメントとして特徴付けられる分子量３００〜５０００ｇ／モルの少なくとも１つのポリマーセグメントも結合されている、
ポリマー分散剤。
【請求項２】
前記分散剤が、前記少なくとも１つのアンカー主鎖部分を有し、溶媒可溶化ポリマーセグメントとして特徴付けられる前記少なくとも１つのポリマーセグメントが、主鎖部分に化学的に結合されており、さらに、前記溶媒可溶化ポリマーセグメントの総重量が、前記分散剤の重量の４０〜９０重量％であり、そして少なくとも１つの官能性イミド基を有する該アンカー主鎖部分が、前記分散剤の１０〜６０重量％である、請求項１に記載のポリマー分散剤。
【請求項３】
前記分散剤が、下記式１による構造を有する、請求項１または２のいずれかに記載のポリマー分散剤：
【化３１】
2016535139.tif 000003
（式中、
各Ｇは、独立して、ＣＨ３もしくはＨ基またはそれらの混合物であり、
Ａは、縮合芳香族イミド基を含む部分であり、
Ｂは、アクリルおよび／またはスチレンタイプのモノマーが少なくとも８０モルパーセントであるエチレン性不飽和モノマーの重合から誘導された−ＣＨ２−Ｃ（Ｇ）−のペンダント部分であり、
Ｃは、アクリルおよび／またはスチレンタイプのモノマーが少なくとも８０モルパーセントであるエチレン性不飽和モノマーの重合から誘導されたＢに類似した部分であり、アクリルタイプのモノマーは、アクリル酸およびアクリル酸のエステルであると定義され、該エステルのアルコキシ基は、１〜２５個の炭素原子を有し、
Ｄは、３００〜５０００ｇ／モルの数平均分子量を有し、結合基によってポリマー主鎖に結合されている、ポリエーテル、ポリエステル、ポリアクリレート、ポリウレタン、ポリオレフィンおよびそれらの混合物を含む部分であるか、またはエチレン性不飽和基を含むマクロモノマーと該３００〜５０００ｇ／モルの分子量を有するペンダントポリエーテル、ポリエステル、ポリアクリレート、ポリウレタン、ポリオレフィンおよびそれらの混合物との重合から誘導され、
Ｋ、Ｌ、ＪおよびＮは、最大５００の独立した整数値であり；
Ｅは、１〜３０であり、そしてＦは、１〜３０である）。
【請求項４】
前記ポリマー分散剤が、１からまたは２であってアンカーブロックの数であるＥと、１からまたは２であって溶媒可溶化ブロックの数であるＦとを有する、ブロックコポリマーとして記載される、請求項１から３のいずれかに記載のポリマー分散剤。
【請求項５】
前記ポリマー分散剤が、１〜５０であってアンカーセグメントの数であるＥと、１からまたは５０であって溶媒可溶化セグメントの数であるＦとを有する、くし型コポリマーとして記載される、請求項１から４のいずれかに記載のポリマー分散剤。
【請求項６】
Ｃが、Ｃ１〜２５アルコールとカルボン酸分子のエステル、カルボン酸分子およびフェニル環の群から選択される分子を少なくとも９０モル％含み、Ｎが０である、請求項３から５に記載のポリマー分散剤。
【請求項７】
Ｄが、３００〜５０００ｇ／モルの数平均分子量のポリ（アルキレンオキシド）を含み、Ｎが１〜５０である、請求項３または５に記載のポリマー分散剤。
【請求項８】
Ｄが、５００〜３０００ｇ／モルの数平均分子量のポリ（アルキレンオキシド）を含み、Ｎが３〜５０であり、該ポリ（アルキレンオキシド）が、前記分散剤の５０〜７０重量％を構成する、請求項７に記載のポリマー分散剤。
【請求項９】
Ｄが、３００〜５０００ｇ／モルの数平均分子量のポリエステル溶媒可溶化鎖を含み、Ｎが１〜５０である、請求項３または５に記載のポリマー分散剤。
【請求項１０】
Ｄが、２〜１８個の炭素原子を有するヒドロキシカルボン酸または該ヒドロキシカルボン酸からのラクトンの単独重合または共重合から誘導された５００〜３０００ｇ／モルの数平均分子量のポリエステルを含み、Ｎが３〜５０であり、前記分散剤の５０〜７０重量％が該ポリエステルである、請求項９に記載のポリマー分散剤。
【請求項１１】
Ｄが、３００〜５０００ｇ／モルの数平均分子量のポリオレフィンまたはポリアクリレートを含み、Ｎが１〜５０である、請求項３または５に記載のポリマー分散剤。
【請求項１２】
Ｄが、５００〜３０００ｇ／モルの数平均分子量のポリオレフィンまたはポリアクリレートを含み、Ｎが３〜５０である、請求項１１に記載のポリマー分散剤。
【請求項１３】
２０００〜６０，０００ｇ／モルの数平均分子量を有する、請求項１から１２のいずれかに記載のポリマー分散剤。
【請求項１４】
Ｋが２〜２５である、請求項１から１３のいずれかに記載のポリマー分散剤。
【請求項１５】
縮合芳香族環の炭素原子に直接結合されているカルボニル基を有するイミドの、該縮合芳香族環が、２〜４個の縮合芳香族環を含む、請求項１から１４のいずれかに記載のポリマー分散剤。
【請求項１６】
前記縮合芳香族環が、ナフタレンタイプの縮合芳香族環を含む、請求項１５に記載のポリマー分散剤。
【請求項１７】
粒子状固体と、水と、極性または非極性有機媒体と、少なくとも１つのイミドペンダント基を有するポリマー分散剤であって、該イミドのカルボニル基が縮合芳香族環の炭素原子に直接結合されているポリマー分散剤とを含む組成物であって、該ポリマー分散剤が前記請求項１から１６のいずれかに記載のポリマーによって表される、組成物。
【請求項１８】
前記組成物が、ミルベース、塗料またはインクである、請求項１７に記載の組成物。
【請求項１９】
前記粒子状固体が、顔料またはフィラーである、請求項１７から１８に記載の組成物。
【請求項２０】
結合剤をさらに含む、請求項１７から１９のいずれかに記載の組成物。
【請求項２１】
前記ポリマー分散剤が、前記組成物の０．５重量％〜３０重量％の範囲の量で存在する、請求項１７から２０のいずれかに記載の組成物。
【手続補正２】
【補正対象書類名】明細書
【補正対象項目名】０００８
【補正方法】変更
【補正の内容】
【０００８】
別の実施形態では、これらの分散剤は、エチレン性不飽和モノマーと任意選択のマクロモノマーとのリビング重合によって作製される。リビングフリーラジカル重合は、分散剤重合中に特定のモノマーおよびマクロモノマーを特定の順序で加える（その結果、十分に制御されたブロックおよびくし型ポリマー分散剤を作製する）機会をもたらす。
一実施形態において、例えば、以下の項目が提供される。
（項目１）
α−β不飽和オレフィンモノマーの重合から誘導されたオレフィン主鎖を含むポリマー分散剤であって、
（ｉ）主鎖反復単位の少なくとも８０重量％が、（メタ）アクリル酸、ＣＨ＝Ｃ（Ｇ）−Ｃ（＝Ｏ）−Ｚ−、
【化２９】
2016535139.tif 000004
または
【化３０】
2016535139.tif 000005
（これらの式中のＧはＨまたはＣＨ３であり、Ｚは窒素または酸素結合原子である）
によって表されるα−βオレフィン部分を有する重合性モノマーから誘導され；
ｉｉ）該主鎖を形成するために使用される該モノマーの少なくとも１つが、重合前または重合に続いて少なくとも１つのイミド基で官能基化され、該イミドのカルボニル基は縮合芳香族環の炭素原子に直接化学的に結合されており；
ｉｉｉ）該分散剤が、約１０００〜約１００，０００ｇ／モルの数平均分子量を有し；そして
ｉｖ）該分散剤が、該イミド基が化学的に結合されているアンカーブロックであることを特徴とする少なくとも１つのポリマー主鎖ブロックを有し、該ポリマー主鎖には溶媒可溶化ポリマーセグメントとして特徴付けられる分子量３００〜５０００ｇ／モルの少なくとも１つのポリマーセグメントも結合されている、
ポリマー分散剤。
（項目２）
前記分散剤が、前記少なくとも１つのアンカー主鎖部分を有し、溶媒可溶化ポリマーセグメントとして特徴付けられる前記少なくとも１つのポリマーセグメントが、主鎖部分に化学的に結合されており、さらに、前記溶媒可溶化ポリマーセグメントの総重量が、前記分散剤の重量の約４０〜約９０重量％であり、そして少なくとも１つの官能性イミド基を有する該アンカー主鎖部分が、前記分散剤の約１０〜約６０重量％である、項目１に記載のポリマー分散剤。
（項目３）
前記分散剤が、下記式１による構造を有する、前記項目のいずれかに記載のポリマー分散剤：
【化３１】
2016535139.tif 000006
（式中、
各Ｇは、独立して、ＣＨ３もしくはＨ基またはそれらの混合物であり、
Ａは、縮合芳香族イミド基を含む部分であり、
Ｂは、アクリルおよび／またはスチレンタイプのモノマーが少なくとも８０、より望ましくは８５、９０または９５モルパーセントであるエチレン性不飽和モノマーの重合から誘導された−ＣＨ２−Ｃ（Ｇ）−のペンダント部分であり、
Ｃは、アクリルおよび／またはスチレンタイプのモノマーが少なくとも８０、より望ましくは８５、９０または９５モルパーセントであるエチレン性不飽和モノマーの重合から誘導されたＢに類似した部分であり、アクリルタイプのモノマーは、アクリル酸およびアクリル酸のエステルであると定義され、該エステルのアルコキシ基は、１〜２５個の炭素原子を有し、場合によりエポキシド基および／またはヒドロキシル基を含み、
Ｄは、約３００〜約５０００ｇ／モルの数平均分子量を有し、結合基によってポリマー主鎖に結合されている、ポリエーテル、ポリエステル、ポリアクリレート、ポリウレタン、ポリオレフィンおよびそれらの混合物を含む部分であるか、またはエチレン性不飽和基を含むマクロモノマーと該３００〜５０００ｇ／モルの分子量を有するペンダントポリエーテル、ポリエステル、ポリアクリレート、ポリウレタン、ポリオレフィンおよびそれらの混合物との重合から誘導され、
Ｋ、Ｌ、ＪおよびＮは、最大５００の独立した整数値であり、望ましくは、Ｋは、１〜５０であり、ＬおよびＪは、各々、約０〜４９９であり、ならびにＮは、０、１、または５〜５０であり；
Ｅは、１〜３０であり、そしてＦは、１〜３０であり、望ましくは、Ｋは、１、２、３または４〜約５０、より望ましくは、約１、２、３または４〜約２５であり、望ましくは、Ｌは、０〜１００であり、望ましくは、Ｊは、０〜約２００、より望ましくは、約０〜約１００であり、望ましくは、Ｎは、約０、１、または５〜約２５であり、望ましくは、Ｅに関連するポリマーセグメントは、アンカーセグメントであり、Ｆに関連するポリマーセグメントは、前記分散剤の溶媒可溶化部分である）。
（項目４）
前記ポリマー分散剤が、１からまたは２であってアンカーブロックの数であるＥと、１からまたは２であって溶媒可溶化ブロックの数であるＦとを有する、ブロックコポリマーとして記載される、前記項目のいずれかに記載のポリマー分散剤。
（項目５）
前記ポリマー分散剤が、１〜５０であってアンカーセグメントの数であるＥと、１からまたは５０であって溶媒可溶化セグメントの数であるＦとを有する、くし型コポリマーとして記載される、前記項目のいずれかに記載のポリマー分散剤。
（項目６）
Ｃが、Ｃ１〜２５アルコールとカルボン酸分子のエステル、カルボン酸分子およびフェニル環の群から選択される分子を少なくとも９０モル％含み、Ｎが０である、項目３から５に記載のポリマー分散剤。
（項目７）
Ｄが、３００〜５０００ｇ／モルの数平均分子量のポリ（アルキレンオキシド）を含み、Ｎが１〜５０である、項目３または５に記載のポリマー分散剤。
（項目８）
Ｄが、５００〜３０００ｇ／モルの数平均分子量のポリ（アルキレンオキシド）を含み、Ｎが３〜５０であり、該ポリ（アルキレンオキシド）が、前記分散剤の５０〜７０重量％を構成する、項目７に記載のポリマー分散剤。
（項目９）
Ｄが、３００〜５０００ｇ／モルの数平均分子量のポリエステル溶媒可溶化鎖を含み、Ｎが１〜５０である、項目３または５に記載のポリマー分散剤。
（項目１０）
Ｄが、２〜１８個の炭素原子を有するヒドロキシカルボン酸または該ヒドロキシカルボン酸からのラクトンの単独重合または共重合から誘導された５００〜３０００ｇ／モルの数平均分子量のポリエステルを含み、Ｎが３〜５０であり、前記分散剤の５０〜７０重量％が該ポリエステルである、項目９に記載のポリマー分散剤。
（項目１１）
Ｄが、３００〜５０００ｇ／モルの数平均分子量のポリオレフィンまたはポリアクリレートを含み、Ｎが１〜５０である、項目３または５に記載のポリマー分散剤。
（項目１２）
Ｄが、５００〜３０００ｇ／モルの数平均分子量のポリオレフィンまたはポリアクリレートを含み、Ｎが３〜５０である、項目１１に記載のポリマー分散剤。
（項目１３）
約２０００〜約６０，０００ｇ／モルの数平均分子量を有する、前記項目のいずれかに記載のポリマー分散剤。
（項目１４）
Ｋが２〜約２５である、前記項目のいずれかに記載のポリマー分散剤。
（項目１５）
縮合芳香族環の炭素原子に直接結合されているカルボニル基を有するイミドの、該縮合芳香族環が、２〜４個の縮合芳香族環を含む、前記項目のいずれかに記載のポリマー分散剤。
（項目１６）
前記縮合芳香族環が、ナフタレンタイプの縮合芳香族環を含む、項目１５に記載のポリマー分散剤。
（項目１７）
粒子状固体と、水と、極性または非極性有機媒体と、少なくとも１つのイミドペンダント基を有するポリマー分散剤であって、該イミドのカルボニル基が縮合芳香族環の炭素原子に直接結合されているポリマー分散剤とを含む組成物であって、該ポリマー分散剤が前記項目１から１６のいずれかに記載のポリマーによって表される、組成物。
（項目１８）
前記組成物が、ミルベース、塗料またはインクである、項目１７に記載の組成物。
（項目１９）
前記粒子状固体が、顔料またはフィラーである、項目１７から１８に記載の組成物。
（項目２０）
結合剤をさらに含む、項目１７から１９のいずれかに記載の組成物。
（項目２１）
前記ポリマー分散剤が、前記組成物の０．５重量％〜３０重量％、または１重量％〜２５重量％の範囲の量で存在する、項目１７から２０のいずれかに記載の組成物。